(57)【要約】      （修正有）【課題】ボルト台座にボルトを回転自在に立設した物品支持脚のための脚止め具であり、従来の同種の脚止め具と比較すると、安定的に物品支持脚に被支持物品を支持させておくことができる脚止め具を提供する。【解決手段】物品支持脚のボルト回し具係合部１３に外嵌可能の二股部２１と、物品支持基体に固定されるべき固定部２２と、それらにわたって形成された中間部２３とを含んでいる脚止め具２。二股部２１はボルト回し具係合部１３に圧入嵌着させる対向内側面部２１１、２１１と、この対向内側面部をつなぐ奥側面部２１２を含んでいる。【選択図】図１
2014074463.tif 000002
【特許請求の範囲】
【請求項１】
雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられた物品支持脚のための脚止め具であり、前記ボルト回し具係合部に外嵌可能の二股部と、前記物品支持基体に固定されるべき固定部と、前記二股部と前記固定部とにわたって該二股部及び該固定部と一体的に連続形成された中間部とを含んでいる脚止め具であって、前記二股部は内側面を有しており、前記内側面は、前記ボルト回し具係合部に圧入嵌着させる、互いに対向する対向内側面部と、前記対向内側面部をつなぐ、平面からみると前記対向内側面部より奥側へ向かって凹み形状を呈する奥側面部を含んでいることを特徴とする物品支持脚のための脚止め具。
【請求項２】
前記二股部の内側面の対向内側面部は、該対向内側面部を外嵌させる前記ボルト回し具係合部の部分の幅より大きい入口幅を呈する入口対向部分と、前記入口対向部分より奥側の、前記ボルト回し具係合部の部分の幅より狭い圧入嵌着用幅を呈する嵌着用対向部分を含んでいる請求項１記載の脚止め具。
【請求項３】
前記二股部の対向内側面部の前記入口対向部分は、該対向内側面部を外嵌させる前記ボルト回し具係合部の部分の予め定められた最大許容幅より大きい入口幅を呈しており、前記対向内側面部の前記嵌着用対向部分は、前記ボルト回し具係合部の部分の予め定められ最小許容幅より小さい幅を呈する部分を含んでいる請求項２記載の脚止め具。
【請求項４】
前記ボルト回し具係合部はＪＩＳ規格にしたがって形成された六角ボルト頭形状の係合部であり、前記二股部の対向内側面部の前記入口対向部分は、前記六角ボルト頭形状の係合部の平行２側面間の最大許容２面幅のより大きい入口幅を呈しており、前記対向内側面部の前記嵌着用対向部分は、前記六角ボルト頭形状の係合部の最小許容２面幅より小さい幅を呈する部分を含んでいる請求項３記載の脚止め具。
【請求項５】
前記対向内側面部の前記嵌着用対向部分は、前記ボルト回し具係合部の部分の予め定められた最大許容幅よりは小さく、最小許容幅より大きい幅を呈する部分を前記最小許容幅より小さい幅を呈する部分より前記入口対向部分寄りに含んでいる請求項３又は４記載の脚止め具。
【請求項６】
前記二股部と前記固定部は互いに平行になり、前記中間部は前記二股部及び前記固定部のそれぞれに対して直角をなすように形成されている請求項１から５のいずれか１項に記載の脚止め具。
【発明の詳細な説明】
【技術分野】
【０００１】
本発明は工作機械、コンベア等の各種機械、本、書類等を収納するロッカーや棚類等の各種家具、各種ディスプレイ装置、テレビ、オーディオ装置等の各種電気電子機器などの物品を支持する物品支持脚用の固定具、特に、雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体（物品を配置する建物の床、工場等の床など）上に配置することで該物品を該物品支持基体上に支持することができ、前記ボルトの前記ボルト台座に隣り合う部位にボルト回し具係合部が形成されている物品支持脚のための脚止め具に関する。
【背景技術】
【０００２】
この種の物品支持脚の例を図５及び図６に示す。図５及び図６に示す物品支持脚１は、雄ねじ部１１１を有するボルト１１及びボルト１１を回転自在に立設したボルト台座１２を含んでいる。ボルト１１のボルト台座１２に隣り合う部位（図示例ではボルト台座１２の直上部位にボルト回し具係合部１３を設けてある。
【０００３】
ボルト回し具係合部１３は、ボルト１１に後付けされたものでもよいが、図示例ではボルト１１と一体的に形成されており、平面形状が６角形のものである。側周面に互いに平行な面部分を有する６角形ボルト頭や６角形ナットなどに係合して回し操作できるスパナ型レンチ、回し対象物を掴む顎の間隔を調節できる所謂モンキーレンチ等のボルト回し具（図示省略）をボルト回し具係合部１３に係合させてボルト１１を回し操作できる。
【０００４】
ボルト台座１２はこの例では平面から見た形状が円形であり、碗を伏せた如き形状、構造のものである。ボルト１１はこの例ではボルト回し具係合部１３の下へも若干突出しており、その突出部１１２がボルト台座１２の頂部貫通孔１２１を貫通して台座１２の下面側凹所１２２へ突出している。
【０００５】
突出部１１２に抜け止め部材１４が取り付けられていることで、ボルト１１は台座１２から抜け止めされている。抜け止め部材１４は図示例では突出部１１２に螺合させた６角形ナットであるが、他の抜け止め部材、例えば、所謂Ｃ形等のスナップリング、突出部１１２に螺合する６角形ナット以外の部材などであることもある。
【０００６】
この物品支持脚１は、図５に例示するように、被支持物品３に設けられたボルト螺合部位３１にボルト１１の雄ねじ部１１１を螺合させ、ボルト螺合部位３１からのボルト突出量を調整するとともに、ボルト台座１２を物品支持基体（物品を配置する建物の床、工場等の床など）４上に配置することで物品３を物品支持基体４上に高さ調節して支持することができる。ボルト１１は、必要に応じ、ボルト回し具係合部１３に図示省略のスパナ型レンチ等のボルト回し具を係合させて回し操作できる。
【０００７】
以上説明した類の物品支持脚は例えば特許第３０３５４７４号公報や特許第３１２９９０５号公報に記載されている。
これら特許公報に記載された物品支持脚ではボルト回し具係合部とボルト台座との間にスラストベアリングが嵌装されている。
【０００８】
以上説明した物品支持脚によると、ボルト台座は物品支持基体上に配置されているだけであるから、必ずしもその位置が安定しているとは言い難い。例えば、被支持物品の傍を他の物品が搬送されるとき、それが衝突して位置ずれしたり、被支持物品の運転に振動を伴う場合、その振動のために位置ずれしたりする等のおそれがある。
【０００９】
そのため、物品支持脚用の脚止め具が提案され、実用に供されている。
図５及び図６に物品支持脚用の従来の脚止め具の例を示す。
【００１０】
図５及び図６に示す脚止め具２’は、例えば前記の物品支持脚１に使用できるものである。脚止め具２’は前記のボルト回し具係合部１３に脱離可能に外嵌可能の二股部２１’と、物品支持基体４に固定されるべき固定部２２’と、中間部２３’を含んでいる。中間部２３’は二股部２１’と固定部２２’とに跨がって二股部２１’及び固定部２２’と一体的に形成されている。
【００１１】
二股部２１’は内側面を有しており、該内側面は互いに対向して対をなす平行な面２１１’、２１２’と、それらをつなぐ、平面からみると面２１１’、２１２’より奥側へ向かって凹み形状の奥側面２１３’とで形成されている。
【００１２】
図５に例示するように被支持物品３を物品支持基体４の定位置に支持している物品支持脚１は、脚止め具２’の二股部２１’をボルト回し具係合部１３に外嵌係合する一方、脚止め具２’の固定部２２’をその孔２２ｈ’に通したアンカーボルト５で基体４に固定することで、前記定位置に、より安定的に固定されるとともにボルト回し具係合部１３の不測の回動が抑制され、それだけ安定的に物品３を支持することができる。
【先行技術文献】
【特許文献】
【００１３】
【特許文献１】特許第３０３５４７４号公報
【特許文献２】特許第３１２９９０５号公報
【発明の概要】
【発明が解決しようとする課題】
【００１４】
前記した従来タイプの脚止め具２’は、その二股部２１’を物品支持脚１のボルト回し具係合部１３に嵌合させる操作を容易化するため、例えば、ボルト回し具係合部１３が図５、図６の係合部１３のように、二股部２１’が外嵌係合できる互いに平行な面部分１３１、１３１（図６参照）を有するものである場合、二股部２１’の対向する面２１１’、２１２’間の間隔Ａは、係合部１３の平行面部分１３１、１３１の間隔（２面幅）ｓより若干大きくしてある。
【００１５】
例えば、物品支持脚１のボルト１１及びボルト回し具係合部１３（図示例では６角形ボルト頭形状）が六角ボルトのＪＩＳ規格（ＪＩＳ  Ｂ  １１８０）にしたがって形成されており、雄ねじ部１１１の呼び径Ｍが１６ｍｍであり、ボルト回し具係合部１３の間隔（２面幅）ｓの基準寸法が２４ｍｍ、上の寸法許容差０、下の寸法許容差−０．３５ｍｍとすると、二股部２１’の対向する面２１１’、２１２’間の間隔Ａは２４．５ｍｍ〜２５ｍｍ程度、或いは２４．５ｍｍより小さい（但し、２４ｍｍより大きい）。
【００１６】
そのため、脚止め具２’の二股部２１’と物品支持脚１のボルト回し具係合部１３との間に隙間があり、それにより二股部２１’が係合部１３に対してガタつくおそれがある。しかしそのようなガタツキは抑制して物品支持脚１をより定位置に安定化させることが好ましい。
【００１７】
そこで本発明は、雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられている物品支持脚のための脚止め具であり、前記ボルト回し具係合部に外嵌可能の二股部と、前記物品支持基体に固定されるべき固定部と、前記二股部と前記固定部とにわたって該二股部及び固定部と一体的に形成された中間部とを含んでいる脚止め具であって、次の利点を有する脚止め具を提供することを課題とする。
すなわち、従来の同種の脚止め具と比較すると、二股部をガタツキが抑制される状態で物品支持脚のボルト回し具係合部に嵌めることができ、それにより物品支持脚を物品支持基体の定位置に安定化させることができるとともにボルト回し具係合部の不測の回動をより確実に阻止でき、それらにより全体として安定的に物品支持脚に被支持物品を支持させておくことができる脚止め具である。
【課題を解決するための手段】
【００１８】
前記課題を解決するため本発明は、
雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられた物品支持脚のための脚止め具であり、前記ボルト回し具係合部に外嵌可能の二股部と、前記物品支持基体に固定されるべき固定部と、前記二股部と前記固定部とにわたって該二股部及び該固定部と一体的に連続形成された中間部とを含んでいる脚止め具であって、前記二股部は内側面を有しており、前記内側面は、前記ボルト回し具係合部に圧入嵌着させる、互いに対向する対向内側面部と、前記対向内側面部をつなぐ、平面からみると前記対向内側面部より奥側へ向かって凹み形状を呈する奥側面部を含んでいる物品支持脚のための脚止め具を提供する。
【００１９】
本発明に係る脚止め具によると、従来の脚止め具と同様に、例えば図５に示されるように被支持物品を物品支持基体（床等）の定位置に支持している物品支持脚のボルト回し具係合部に脚止め具の二股部を外嵌係合させる一方、該脚止め具の固定部をそのアンカーボルト通し孔に通したアンカーボルトで物品支持基体に固定することができる。
【００２０】
しかし本発明に係る脚止め具によると、前記二股部は内側面を有しており、前記内側面は、前記ボルト回し具係合部に圧入嵌着させる、互いに対向する対向内側面部を有している。前記物品支持脚のボルト回し具係合部に本発明にかかる脚止め具の二股部を外嵌係合させるにあたり、この対向内側面部を前記ボルト回し具係合部に圧入嵌着させることで、
ボルト回し具係合部がしっかりと脚止め具に挟みつけ保持される。
【００２１】
このように、本発明に係る脚止め具は、従来の同種の脚止め具と比較すると、二股部の内側面の互いに対向する対向内側面部をガタツキが抑制される状態で物品支持脚のボルト回し具係合部にしっかりと嵌着係合させることができ、それにより従来の脚止め具より物品支持脚を物品支持基体の定位置に安定化させることができるとともにボルト回し具係合部の不測の回動をより確実に阻止でき、それらにより全体として安定的に物品支持脚に被支持物品を支持させておくことができる。
【００２２】
前記二股部の内側面の対向内側面部は、該対向内側面部を前記ボルト回し具係合部へ外嵌開始する入口対向部分においても、該対向内側面部を外嵌させる該ボルト回し具係合部の部分の幅より小さい幅を呈していてもよい。
【００２３】
しかし、前記二股部の対向内側面部を前記ボルト回し具係合部へ外嵌開始する作業の容易化のために、前記対向内側面部は、該対向内側面部を外嵌させる前記ボルト回し具係合部の部分の幅より大きい入口幅を呈する入口対向部分を含んでおり、前記入口対向部分より奥側の、前記ボルト回し具係合部の部分の幅より狭い圧入嵌着用幅を呈する嵌着用対向部分を含んでいるものとしてもよい。
【００２４】
このような対向内側面部を採用する場合、例えば、前記二股部の対向内側面部の前記入口対向部分は、該対向内側面部を外嵌させる前記ボルト回し具係合部の部分の予め定められた最大許容幅より大きい入口幅を呈し、前記対向内側面部の前記嵌着用対向部分は、前記ボルト回し具係合部の部分の予め定められ最小許容幅より小さい幅を呈することができる。
【００２５】
例えば、前記ボルト回し具係合部として、ＪＩＳ規格にしたがって形成された六角ボルト頭形状の係合部を採用することができる。このような係合部を採用する場合、前記二股部の対向内側面部の前記入口対向部分は、前記六角ボルト頭形状の係合部の平行２側面間の最大許容２面幅より大きい入口幅を呈し、前記対向内側面部の前記嵌着用対向部分は、前記六角ボルト頭形状の係合部の最小許容２面幅より小さい幅を呈することができる。
【００２６】
また、前記対向内側面部の前記嵌着用対向部分は、前記ボルト回し具係合部の部分の予め定められた最大許容幅よりは小さく、最小許容幅より大きい幅を呈する部分を前記最小許容幅より小さい幅を呈する部分より前記入口対向部分寄りに含んでいてもよい。
【００２７】
いずれにしても、前記二股部と前記固定部は互いに平行に形成される場合を代表的に例示できる。この場合、「二股部と固定部が互いに平行」には、両者が完全に平行である場合だけでなく、概ね平行な状態も含まれる。
【００２８】
また、このように前記二股部と前記固定部が互いに平行になり、前記中間部は前記二股部及び前記固定部のそれぞれに対して直角をなすように形成されている場合も例示できる。
【００２９】
前記中間部を前記二股部及び前記固定部のそれぞれに対して直角をなすように形成しておくことで、前記二股部の対向内側面部をボルト回し具係合部へ圧入嵌着させる作業を、該中間部をハンマー等で殴打するなどして簡易に行なえる。
【００３０】
この場合、「前記中間部が前記二股部及び前記固定部のそれぞれに対して直角」には、前記中間部が前記二股部及び前記固定部のそれぞれに対して文字通り直角である場合のほか、ハンマー等による殴打作業などをなお容易に行なえる概ね直角である場合も含まれる。また、中間部と二股部が連続する屈曲部や中間部と固定部が連続する屈曲部は側面から見て弧を描いて屈曲していてもよい。
【発明の効果】
【００３１】
以上説明したように本発明によると、
雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられている物品支持脚のための脚止め具であり、前記ボルト回し具係合部に外嵌可能の二股部と、前記物品支持基体に固定されるべき固定部と、前記二股部と前記固定部とにわたって該二股部及び固定部と一体的に形成された中間部とを含んでいる脚止め具であって、次の利点を有する脚止め具を提供することができる。
すなわち、従来の同種の脚止め具と比較すると、二股部をガタツキが抑制される状態で物品支持脚のボルト回し具係合部に嵌めることができ、それにより物品支持脚を物品支持基体の定位置に安定化させることができるとともにボルト回し具係合部の不測の回動をより確実に阻止でき、それらにより全体として安定的に物品支持脚に被支持物品を支持させておくことができる脚止め具である。
【図面の簡単な説明】
【００３２】
【図１】本発明に係る物品支持脚のための脚止め具の例を物品支持脚のボルト回し具係合部とともに示す平面図である。
【図２】図１の脚止め具をボルト回し具係合部に外嵌係合させた状態の平面図である。
【図３】図１及び図２の脚止め具の使用状態例を示す側面図である。
【図４】本発明に係る物品支持脚のための脚止め具の他の例を物品支持脚のボルト回し具係合部とともに示す平面図である。
【図５】従来の脚止め具例の使用状態例を示す側面図である。
【図６】図５に示す物品支持脚例とその脚止め具例を示す平面図である。
【発明を実施するための形態】
【００３３】
以下、本発明の実施の形態を図面を参照して説明する。
図１、図２は物品支持脚のための、本発明に係る脚止め具の１例を示している。
図１は脚止め具２を図３に示す物品支持脚１のボルト回し具係合部１３へ外嵌係合させる前の状態で示す平面図である。
図２は脚止め具２を図３に示す物品支持脚１のボルト回し具係合部１３へ外嵌係合させた状態で示す平面図である。
【００３４】
脚止め具２は、例えば図３に示される物品支持脚１（図５に示される物品支持脚１と同様のもの）の脚止め具として用いることができるものである。
【００３５】
物品支持脚１のボルト１１の雄ねじ部１１１及びボルト回し具係合部１３（図示例では６角形ボルト頭形状）は、六角ボルトのＪＩＳ規格（ＪＩＳ  Ｂ  １１８０）にしたがって形成されている。例えば、雄ねじ部１１１の呼び径Ｍが１６ｍｍとすると、６角形ボルト頭形状のボルト回し具係合部１３の平行２側面間隔（２面幅）ｓの基準寸法は２４ｍｍ、上の寸法許容差０、下の寸法許容差−０．３５ｍｍである。
【００３６】
脚止め具２は物品支持脚１のボルト回し具係合部１３に外嵌可能の二股部２１と、物品支持基体４（図３参照）に固定されるべき固定部２２と、二股部２１と固定部２２とにわたってそれらと一体的に形成された中間部２３を含んでいる。
【００３７】
二股部２１は内側面２１０を有している。内側面２１０は、ボルト回し具係合部１３に圧入嵌着させる、互いに対向する対向内側面部２１１、２１１と、対向内側面部２１１、２１１をつなぐ、平面からみると対向内側面部２１１、２１１より奥側へ向かって凹み形状を呈する奥側面部２１２を含んでいる。
【００３８】
固定部２２には、アンカーボルトを通す孔２２ｈが形成されている。
【００３９】
二股部２１と固定部２２との間には物品支持脚１のボルト台座１２の高さに略相当する段差があり、中間部２３はこの段差を保持するように二股部２１及び固定部２２とに跨がってそれらと一体的に形成されている。
【００４０】
二股部２１と固定部２２は、互いに平行に形成されている。脚止め具２を側面からみると二股部２１と固定部２２は互いに平行である。なお、ここで「二股部２１と固定部２２は互いに平行」には、両者が文字通り平行である場合だけでなく、概ね平行な状態も含まれる。
【００４１】
また、後述するように、二股部２１の対向内側面部２１１、２１１をボルト回し具係合部１３へ圧入嵌着させる作業を、中間部２３をハンマー等で殴打するなどして簡易に行なえるようにするため、脚止め具２は、二股部２１と固定部２２が互いに平行になり、中間部２３は二股部２１及び固定部２２のそれぞれに対して直角をなすように形成されている。
【００４２】
ここで、「中間部２３が二股部２１及び固定部２２のそれぞれに対して直角」には、中間部２３が二股部２１及び固定部２２のそれぞれに対して文字通り直角である場合のほか、後述するハンマー等による中間部２３の殴打等により、二股部２１をボルト回し具係合部１３に圧入嵌着させ易いように略直角である場合も含まれる。なお、脚止め具２では、中間部２３と二股部２１が連続する屈曲部２３１や中間部２３と固定部２２が連続する屈曲部２３２は側面から見ると弧を描いている。
【００４３】
二股部２１の対向内側面部２１１、２１１は入口対向部分ａ、ａと嵌着用対向部分ｂ、ｂを含んでいる。入口対向部分ａ、ａは対向内側面部２１１、２１１を外嵌させるボルト回し具係合部１３の平行２側面１３１間の幅（２面幅）ｓより大きい入口幅Ｄを呈している。嵌着用対向部分ｂ、ｂは該入口対向部分より奥側にあり、ボルト回し具係合部１３の２面幅ｓより狭い圧入嵌着用幅ｄを呈している。部分ａと部分ｂは平坦斜面ｃでつながっている。
【００４４】
なお、部分ａと部分ｂは平坦斜面ｃでつながっている必要はなく、例えば、弧を描く面でつながっていてもよい。
【００４５】
脚止め具２の入口対向部分ａ、ａが呈する入口幅Ｄは、対向内側面部２１１、２１１をボルト回し具係合部１３に圧入嵌着できるのであれば、ボルト回し具係合部１３の２面幅ｓの最大許容寸法と同等或いはそれより若干小さくてもよい。しかし、脚止め具２では、二股部２１の対向内側面部２１１、２１１をボルト回し具係合部１３へ外嵌開始する作業の容易化のために、入口対向部分ａ、ａが呈する入口幅Ｄはボルト回し具係合部１３の２面幅ｓ（本例では、２面幅ｓの最大許容寸法）より大きくしてある。
【００４６】
脚止め具２の嵌着用対向部分ｂ、ｂが呈する圧入嵌着用幅ｄは、ボルト回し具係合部１３の２面幅ｓ（本例では、２面幅ｓの最小許容寸法）より狭くしてある。さらに言えば、嵌着用対向部分ｂ、ｂのボルト回し具係合部１３への圧入嵌着が可能な範囲で狭くしてある。
【００４７】
以上説明した脚止め具２によると、従来の脚止め具と同様に例えば図３に示されるように被支持物品３を物品支持基体（床等）４の定位置に支持している物品支持脚１のボルト回し具係合部１３に、従来の脚止め具２’の場合と同様に二股部２１を外嵌係合させる一方、固定部２２をそのアンカーボルト通し孔２２ｈに通したアンカーボルト５で物品支持基体４に固定することができる。
【００４８】
しかし脚止め具２によると、二股部２１は内側面２１０を有しており、内側面２１０は、ボルト回し具係合部１３に圧入嵌着させる、互いに対向する対向内側面部２１１、２１１を有している。物品支持脚１のボルト回し具係合部１３に脚止め具２の二股部２１を外嵌係合させるにあたり、この対向内側面部２１１、２１１、さらに言えばその嵌着用対向部分ｂ、ｂを、例えば中間部２３をハンマー等で殴打する等によりボルト回し具係合部１３に圧入嵌着させることで、ボルト回し具係合部１３がしっかりと脚止め具２に保持される。
【００４９】
このように、脚止め具２は、従来の同種の脚止め具と比較すると、二股部２１の内側面２１０の互いに対向する対向内側面部２１１、２１１、さらに言えばその嵌着用対向部分ｂ、ｂをガタツキが抑制される状態で物品支持脚１のボルト回し具係合部１３にしっかりと圧入嵌着係合させることができ、それにより従来の脚止め具より物品支持脚１を物品支持基体４の定位置に安定化させることができるとともにボルト回し具係合部１３の不測の回動をより確実に阻止でき、それらにより全体として安定的に物品支持脚１に被支持物品３を支持させておくことができる。
【００５０】
図２に示す例では、ボルト回し具係合部１３の２面幅ｓを提供している側面１３１の略全長（圧入方向αの略全長）が嵌着用対向部分ｂ、ｂに圧入されているが、脚止め具２を所望程度にしっかりとボルト回し具係合部１３に嵌着係合しておけるのであれば、より短い長さで嵌着係合されるだけでもよい。その場合、嵌着用対向部分ｂの奥行き（方向α）長さが図示例より短くても構わない。また、全体としてボルト回し具係合部１３がもっと奥へ嵌まる状態でもよい。いずれにしてもボルト回し具係合部１３の奥側部分は奥側面部２１２で提供される凹所に逃げ込めるようにしておく。
【００５１】
また、図４に示すように、前記対向内側面部２１１，２１１の嵌着用対向部分ｂ、ｂは、ボルト回し具係合部１３の２面幅ｓの予め定められた最大許容幅よりは小さく、最小許容幅より大きい幅ｄ１を呈する部分ｂ１、ｂ１を前記最小許容幅より小さい幅ｄ２を呈する部分ｂ２、ｂ２より前記入口対向部分ａ、ａ寄りに含んでいてもよい。
【産業上の利用可能性】
【００５２】
本発明は、雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられている物品支持脚のための脚止め具であり、前記ボルト回し具係合部に外嵌可能の二股部と、前記物品支持基体に固定されるべき固定部と、前記二股部と前記固定部とにわたって該二股部及び固定部と一体的に形成された中間部とを含んでいる脚止め具であって、安定的に物品支持脚に被支持物品を支持させておくことができる脚止め具を提供することに利用できる。
【符号の説明】
【００５３】
１  物品支持脚
１１  ボルト
１１１  雄ねじ部
１２  ボルト台座
１３  ボルト回し具係合部
１３１  係合部１３の平行側面
ｓ  ２面幅
２、２’  脚止め具
２１、２１’  二股部
２１０  内側面
２１１  対向内側面部
ａ  入口対向部分
Ｄ  入口幅
ｂ  嵌着用対向部分
ｄ  圧入嵌着用幅
ｃ  斜面
ｂ１、ｂ２  嵌着用対向部分の一部
ｄ１、ｄ２  幅
２１２  奥側面部
２２  固定部
２２ｈ  アンカーボルト通し孔
２３  中間部
２３１，２３２  屈曲部
３  被支持物品
４  物品支持基体
５  アンカーボルト
【図１】
2014074463.tif 000003
【図２】
2014074463.tif 000004
【図３】
2014074463.tif 000005
【図４】
2014074463.tif 000006
【図５】
2014074463.tif 000007
【図６】
2014074463.tif 000008